(57)【特許請求の範囲】
【請求項１】
ファクシミリ本体及び当該本体に着脱可能に装着されかつ読取り機能を有するハンドスキャナ部を備えるファクシミリ装置であって、
前記ハンドスキャナ部は、原稿に圧接した状態にて回転するスキャナローラを有し、前記本体は、前記ハンドスキャナ部の前記スキャナローラとの間に読取原稿を挟入した状態にて回転することによって読取った原稿を前記本体から送出する排出ローラを有するファクシミリ装置において、
前記ハンドスキャナ部を前記本体の所定の位置に装着した際に前記ハンドスキャナ部との回路的接続を感知してトリガ信号を発生する接続感知部と、前記接続感知部のトリガ信号を受信することにより前記排出ローラを回転させる検査起動部と、前記排出ローラの回転により回転するスキャナローラからの出力に基づいて前記ハンドスキャナ部の装着状態の異常を検出する応答検知部と、を備えたことを特徴とするファクシミリ装置。
【請求項２】
ファクシミリ本体及び当該本体に着脱可能に装着されかつ読取り機能を有するハンドスキャナ部を備えるファクシミリ装置であって、
前記ハンドスキャナ部は、原稿に圧接した状態にて回転するスキャナローラを有し、前記本体は、前記ハンドスキャナ部の前記スキャナローラとの間に読取原稿を挟入した状態にて回転することによって読取った原稿を前記本体から送出する排出ローラを有するファクシミリ装置において、
前記ハンドスキャナ部を前記本体の所定の位置に装着した際に前記排出ローラを回転させる検査起動部と、前記排出ローラの回転によって回転するスキャナローラからの出力に基づいて発生した信号が所定の信号と異なることにより、前記ハンドスキャナ部の装着状態の異常を検出する応答検知部と、を備えたことを特徴とするファクシミリ装置。
【発明の詳細な説明】
【０００１】
【発明の属する技術分野】
本発明は、本体に脱着可能なハンドスキャナ部を備えたファクシミリ装置に関するものである。
【０００２】
【従来の技術】
図３は従来のファクシミリ装置の要部断面図である。
【０００３】
図３において、３００はファクシミリ装置の本体キャビネット、３０１は本体キャビネット前側面下部に形設されたハンドスキャナ装着溝３０４に脱着可能に装着されたハンドスキャナ部、３０２は本体キャビネット上面後方に設けられた原稿挿入口、３０３は本体キャビネットと本体キャビネットに装着されたハンドスキャナ部との間に位置する原稿排出口、３０５は、押圧スプリング（図示せず）の弾性力により回転軸が垂直下方に付勢されており、ハンドスキャナ部３０１装着時にスキャナローラ３０６と圧接し、原稿読取時にモーターの動力で回転し読取原稿をスキャナローラ３０６との間に挟入し原稿排出口３０３から送出する排出ローラ、３０９は、ハンドスキャナ装着溝３０４奥部側面に固接され、ハンドスキャナ部３０１装着時に感圧部３０９ａがハンドスキャナ部３０１に接触しハンドスキャナ部３０１が装着されたことを感知する装着感知センサ、３１０はファクシミリ装置本体内部の原稿搬送経路、３０８は原稿挿入時に読取原稿を原稿挿入口３０２から原稿搬送経路３１０に送入する送入ローラ、３０７は原稿搬送経路内で原稿を搬送させる搬送ローラ、３１１はハンドスキャナ上面に配設された原稿読取部である。
【０００４】
次に従来のファクシミリ装置の動作を図３を参照しながら説明する。
まず、ハンドスキャナ部３０１を装着した状態（以下、「装着状態」と呼ぶ。）では、送入ローラ３０８及び搬送ローラ３０７の回転動力により原稿搬送経路３１０を搬送された読取原稿は排出ローラ３０５とスキャナローラ３０６との間に挟入され、排出ローラ３０５の回転動力により原稿排出口３０３より送出される。このとき、排出ローラの回転に伴い、それに圧接するスキャナローラ３０６が回転し、ハンドスキャナ部３０１に内設されたエンコーダセンサ２０１（図示せず）がスキャナローラ３０６の回転を検出し、これによりスキャナローラ３０６の回転数が検出されるため読取原稿の搬送方向の位置が検出される。
【０００５】
ハンドスキャナ部３０１を本体から離脱させた状態（以下「離脱状態」と呼ぶ。）で使用する場合、原稿読取部３１１を読取原稿に押当て摺動させる。このとき、スキャナローラ３０６が読取原稿に圧接した状態で摺動するために回転し、摺動方向の位置が前述と同様な動作により検出される。
【０００６】
次に、ハンドスキャナ部３０１を本体キャビネット３００に装着する場合の動作について説明する。この場合、まず、ハンドスキャナ部３０１を本体キャビネット３００の前側面下部に形設されているハンドスキャナ装着溝３０４に挿入する。このとき、ハンドスキャナ部３０１背面に配設された接続コネクタ３１２ａ（図示せず）がハンドスキャナ装着溝３０４奥部側壁に配設された接続コネクタ３１２ｂ（図示せず）に嵌合する。このとき、同時にハンドスキャナ部の背面３１３が装着感知センサ３０９の感圧部３０９ａを押動し装着状態が感知される。
【０００７】
【発明が解決しようとする課題】
しかしながら、従来のファクシミリ装置では、挿入感知センサ３０９の感度を上げると、ハンドスキャナ部３０１が捻れた状態で挿入された場合においても装着感知センサ３０９が稼働し誤検出が生じ、逆に挿入感知センサ３０９の感度を下げると、ハンドスキャナ部３０１が挿入された場合においても装着感知センサ３０９が稼働しなくなり装着状態の検出ができなくなる。実際には、装着感知センサ３０９の感度の調整は難しく、誤作動が生じ易く、装着状態の正常／異常の誤検出が生じるという問題を有していた。
【０００８】
本発明は上記従来の課題を解決するもので、従来読取原稿の位置検出にのみ使用されていたスキャナローラ３０６の回転検出部を利用し、装着状態になったときに排出ローラ３０５を回転させることによりスキャナローラ３０６を回転させ、回転検出部の出力信号波形を検出することによりハンドスキャナ部３０１が正常状態で装着されたことを検知するように構成したファクシミリ装置を提供することを目的とする。
【０００９】
【課題を解決するため手段】
請求項１の発明は、ファクシミリ本体及び当該本体に着脱可能に装着されかつ読取り機能を有するハンドスキャナ部を備えるファクシミリ装置であって、上記ハンドスキャナ部は、原稿に圧接した状態にて回転するスキャナローラを有し、上記本体は、上記ハンドスキャナ部の上記スキャナローラとの間に読取原稿を挟入した状態にて回転することによって読取った原稿を上記本体から送出する排出ローラを有するファクシミリ装置において、上記ハンドスキャナ部を上記本体の所定の位置に装着した際に上記ハンドスキャナ部との回路的接続を感知してトリガ信号を発生する接続感知部と、上記接続感知部のトリガ信号を受信することにより上記排出ローラを回転させる検査起動部と、上記排出ローラの回転により回転するスキャナローラからの出力に基づいて上記ハンドスキャナ部の装着状態の異常を検出する応答検知部と、を備えて構成されるファクシミリ装置である。また、請求項２の発明は、ファクシミリ本体及び当該本体に着脱可能に装着されかつ読取り機能を有するハンドスキャナ部を備えるファクシミリ装置であって、上記ハンドスキャナ部は、原稿に圧接した状態にて回転するスキャナローラを有し、上記本体は、上記ハンドスキャナ部の上記スキャナローラとの間に読取原稿を挟入した状態にて回転することによって読取った原稿を上記本体から送出する排出ローラを有するファクシミリ装置において、上記ハンドスキャナ部を上記本体の所定の位置に装着した際に上記排出ローラを回転させる検査起動部と、上記排出ローラの回転によって回転するスキャナローラからの出力に基づいて発生した信号が所定の信号と異なることにより、上記ハンドスキャナ部の装着状態の異常を検出する応答検知部と、を備えて構成されるファクシミリ装置である。
【００１０】
この構成により、確実にハンドスキャナ部の装着状態の正常／異常の検知が可能なファクシミリ装置を提供することができる。
【００１１】
【発明の実施の形態】
本発明の請求項１に記載のファクシミリ装置は、読取原稿の表面に圧接し回転するスキャナローラとスキャナローラの回転を検出する回転検出部とを備えた本体に脱着可能に装着されたハンドスキャナ部と、ハンドスキャナ部装着時にスキャナローラと圧接し読取原稿をスキャナローラとの間に挟入し回転することによって読取原稿を送出する排出ローラとを備えたファクシミリ装置であって、ハンドスキャナ部を装着した時点でハンドスキャナ部の回路的接続を感知しトリガを発生する接続感知部と、接続感知部のトリガを受け一定時間排出ローラを回転させる検査起動部と、接続感知部のトリガを受け一定時間回転検出部の出力を検知し装着状態の正常若しくは異常を判断する応答検知部とを備えたこととしたものであり、この構成により、装着状態での実際の使用動作により検査を行うため、確実にハンドスキャナ部の装着状態の正常／異常の検知が可能となり装着状態の正常若しくは異常の誤検出がなくなるという作用を有する。
【００１２】
（実施の形態１）
図１は、本発明の実施の形態１におけるファクシミリ装置の不完全挿入防止機構機能ブロック図である。
【００１３】
図１において、１０２はハンドスキャナ部と本体を電気又は光線により回路的に接続する接続部、１０３は接続部が回路的に接続されたことを感知するとトリガＴｒｇを発生する接続感知部、１０４はトリガＴｒｇを受けて一定時間排出ローラ３０５を回転させる検査起動部、１０５はスキャナローラ３０６の回転を検出する回転検出部、１０６はトリガＴｒｇを受けて一定時間回転検出部の出力を検知し装着状態の正常若しくは異常を判断する応答検知部、１０７は応答検知部の正常／異常の判断を表示する表示部である。
【００１４】
図２は本発明の実施の形態１におけるファクシミリ装置のブロック図である。
図２において、２０１はスキャナローラ３０６の回転を検出するエンコーダセンサ、２０２は、ハンドスキャナ部３０１の動作を制御するＣＰＵ、２０３は、ファクシミリ装置本体２００の動作を制御するＣＰＵ、２０４は、排出ローラ３０５を駆動するモータ２０５の動作を制御するドライバ、２０６は液晶ディスプレイ等の表示装置、３１２ａ、３１２ｂは、それぞれハンドスキャナ部３０１、ファクシミリ装置本体２００に配設された接続コネクタである。
【００１５】
回転検出部１０５は、エンコーダセンサ２０１及びＣＰＵ２０２により構成され、接続部１０２は接続コネクタ３１２ａ・３１２ｂにより構成され、接続検知部１０３、応答検知部１０６はＣＰＵ２０３により構成され、検査起動部１０４はＣＰＵ２０３及びドライバ２０４により構成され、表示部１０７は表示装置２０６により構成される。
【００１６】
次に、本実施の形態におけるファクシミリ装置のハンドスキャナ部装着時の動作を説明する。
【００１７】
ハンドスキャナ部３０１を正常な状態で装着するとスキャナローラ３０６が排出ローラ３０５に圧接すると共に、ハンドスキャナ部３０１とファクシミリ装置本体とが接続部１０２により回路的に接続される。接続感知部１０３は接続部１０２が回路的に接続されたことを感知すると、検査起動部１０４と応答検知部１０６とにトリガＴｒｇを送る。検査起動部１０４はトリガＴｒｇを受けると排出ローラ３０５を一定時間回転させ、それと連動してスキャナローラ３０６が回転し、回転検出部はスキャナローラ３０６の回転を検出し、検出信号２を応答検知部１０６に送る。応答検知部１０６はトリガＴｒｇを受けると、一定時間検出信号２を検出し、検出信号２が正常に検出された場合、ハンドスキャナ部３０１は正常な状態で装着されたと判断し、表示部１０７に正常状態が表示され待機状態となる。
【００１８】
ハンドスキャナ部３０１が不完全状態で装着された場合は、ハンドスキャナ部３０１とファクシミリ装置本体とが回路的に接続されていなければ、待機状態とならないため、正常な状態で装着されていないことを知ることができ、ハンドスキャナ部３０１とファクシミリ装置本体とが回路的に接続されたにもかかわらず排出ローラ３０５とスキャナローラ３０６とが正常な状態で圧接していないような場合には、スキャナローラ３０６が正常に回転しないため、応答検知部１０６は異常な検出信号２を受け又は検出信号２を受けず、不完全状態で装着されたことを検知し、異常状態を表示する。
【００１９】
以上のように、本実施の形態によれば、読取原稿の表面に圧接し回転するスキャナローラとスキャナローラの回転を検出する回転検出部とを備えた本体に脱着可能に装着されたハンドスキャナ部と、ハンドスキャナ部装着時にスキャナローラと圧接し読取原稿をスキャナローラとの間に挟入し回転することによって読取原稿を送出する排出ローラとを備えたファクシミリ装置であって、ハンドスキャナ部を装着した時点でハンドスキャナ部の回路的接続を感知しトリガＴｒｇを発生する接続感知部と、接続感知部のトリガＴｒｇを受け一定時間排出ローラを回転させる検査起動部と、接続感知部のトリガＴｒｇを受け一定時間回転検出部の出力を検知し装着状態の正常若しくは異常を判断する応答検知部とを備えたことにより、確実にハンドスキャナ部の装着状態の正常／異常の検知が可能となる。また、装置構成では従来のファクシミリ装置が備えているエンコーダセンサを兼用し装着感知センサを必要とせず、部品点数が減少するため信頼性が向上し、生産原価が低減する。
【００２０】
【発明の効果】
以上のように請求項１に記載のファクシミリ装置によれば、読取原稿の表面に圧接し回転するスキャナローラとスキャナローラの回転を検出する回転検出部とを備えた本体に脱着可能に装着されたハンドスキャナ部と、ハンドスキャナ部装着時にスキャナローラと圧接し読取原稿をスキャナローラとの間に挟入し回転することによって読取原稿を送出する排出ローラとを備えたファクシミリ装置であって、ハンドスキャナ部を装着した時点でハンドスキャナ部の回路的接続を感知しトリガを発生する接続感知部と、接続感知部のトリガを受け一定時間排出ローラを回転させる検査起動部と、接続感知部のトリガを受け一定時間回転検出部の出力を検知し装着状態の正常若しくは異常を判断する応答検知部とを備えたことにより、確実にハンドスキャナ部の装着状態の正常／異常の検知が可能となり、ハンドスキャナ部の不完全な装着による動作異常が防止されるという有利な効果が得られる。
【図面の簡単な説明】
【図１】本発明の実施の形態１におけるファクシミリ装置の不完全挿入防止機構機能ブロック図
【図２】本発明の実施の形態１におけるファクシミリ装置の不完全挿入防止機構装置ブロック図
【図３】従来のファクシミリ装置の要部断面図
【符号の説明】
１０２  接続部
１０３  接続感知部
１０４  検査起動部
１０５  回転検出部
１０６  応答検知部
１０７  表示部
２００  ファクシミリ装置本体
２０１  エンコーダセンサ
２０２  ＣＰＵ
２０３  ＣＰＵ
２０４  ドライバ
２０５  モータ
２０６  表示装置
３００  本体キャビネット
３０１  ハンドスキャナ部
３０２  原稿挿入口
３０３  原稿排出口
３０４  ハンドスキャナ装着溝
３０５  排出ローラ
３０６  スキャナローラ
３０７  搬送ローラ
３０８  送入ローラ
３０９  装着感知センサ
３０９ａ  感圧部
３１０  原稿搬送経路
３１１  原稿読取部
３１２ａ  接続コネクタ
３１２ｂ  接続コネクタ
３１３  背面
【図１】
0003587053.tif 000002
【図２】
0003587053.tif 000003
【図３】
0003587053.tif 000004